(57)【特許請求の範囲】
【請求項１】
座部に接続される根本部とアンカーに接続される先端部と根本部および先端部の間にわたって延びる中間部とを有し、一面に沿って延びるテザー長手方向を有し、テザー全長の少なくとも一部が前記一面に沿って湾曲されているテザーを備え、
テザーの長手方向をピラーガーニッシュの長手方向に向けて長方形のガーニッシュ孔部位にてピラーガーニッシュに組付けられ、該ピラーガーニッシュをピラーに取り付けるのに用いられるテザークリップであって、
テザーの座部への接続部からテザーに沿って隔たった任意のテザー位置におけるテザーの接線方向と直交するテザー断面の形状は長方形であり、かつ、根本部と中間部におけるテザー断面の形状は先端部におけるテザー断面の形状よりも幅広で薄厚の帯状とされており、
根本部および中間部におけるテザー断面の長辺の長さはガーニッシュ孔の短辺の長さより長くされており、
根本部および中間部におけるテザー断面の長軸の延び方向はガーニッシュ孔の長軸と直交する方向から傾けられており、
根本部および中間部の少なくとも一部は緩やかに湾曲されている、テザークリップ。
【請求項２】
テザーの、根本部および中間部の根本部への接続部からアンカーから最も遠い中間部部位までは、テザー断面の長軸の延び方向端に、アンカーから遠い側の第１の稜線とアンカーに近い側の第２の稜線を有しており、第１の稜線と第２の稜線のアンカーからの遠近の関係は第１の稜線と第２の稜線の全長にわたって維持され反転せず、
テザーの、中間部のアンカーから最も遠い中間部部位から中間部の先端部への接続部までは、テザー断面の長軸の延び方向端に、座部から遠い側の第３の稜線と座部に近い側の第４の稜線を有しており、第３の稜線と第４の稜線の座部からの遠近の関係は第３の稜線と第４の稜線の全長にわたって維持され反転せず、
第１の稜線と第３の稜線は滑らかに接続しており、第２の稜線と第４の稜線は滑らかに接続している、請求項１記載のテザークリップ。
【請求項３】
中間部は、座部から離れる方向に凸状の上方湾曲部と、該上方湾曲部よりアンカーに近い側に座部の延長に向かって凸状の下方湾曲部を有することによって、第１の稜線の長さと第３の稜線の長さの和が、第２の稜線の長さと第４の稜線の長さの和に等しいかまたはほぼ等しくなっている、請求項２記載のテザークリップ。
【請求項４】
テザーの根本部におけるテザー断面の長軸の延び方向の、ガーニッシュ孔の長軸と直交する方向からの傾き角度が、４０度±２０度の範囲にある請求項１−請求項３の何れか１項に記載のテザークリップ。
【請求項５】
テザーの先端部におけるテザー断面の長辺の長さは、ガーニッシュ孔の短辺の長さより短い、請求項１−請求項４の何れか１項に記載のテザークリップ。
【請求項６】
テザーの中間部の、テザー先端部側の端部に、アンカーの延び方向に平行な方向と直交する方向に突出する案内板が設けられている、請求項１−請求項５の何れか１項に記載のテザークリップ。
【請求項７】
請求項１−請求項６の何れか１項に記載のテザークリップと、
テザー長手方向をピラーガーニッシュ長手方向に向けてテザークリップが組付けられるピラーガーニッシュと、
テザークリップが組付けられたピラーガーニッシュがテザークリップを用いて取り付けられるピラーと、
を有し、テザークリップがピラーガーニッシュに組付けられた状態で、テザーの根本部における長方形のテザー断面の長軸の延び方向が、長方形のガーニッシュ孔の長軸と直交する方向から傾けられているピラーガーニッシュ取付構造。
【発明の詳細な説明】
【技術分野】
【０００１】
本発明は、テザークリップおよびピラーガーニッシュ取付構造（「取付構造」は「取付装置」といってもよい）に関する。
【背景技術】
【０００２】
特許文献１は、従来のテザークリップを用いた従来のピラーガーニッシュ取付構造を開示している。特許文献１のテザークリップおよびピラーガーニッシュ取付構造は、図１０−図１２に示す比較（「比較」は「基準」といってもよい。以下、同じ）テザークリップ１１０とそれを用いた比較ピラーガーニッシュ取付構造１０２に示すように、つぎの構造を有する。なお、比較テザークリップ１１０と比較ピラーガーニッシュ取付構造１０２は、１段目のアンカー１５６を有する点等において、従来公知ではない。
【０００３】
限られたスペースの中でテザー１２０の長さを確保するために、テザー１２０の長手方向Ｌがピラーガーニッシュ１７０の長手方向に向けられ、テザー１２０の変形を容易にするために、テザー１２０の長方形断面の長軸１３４の延び方向がテザー１２０の長手方向Ｌと直角方向に向けられている。また、テザー１２０の長方形断面の長辺１３０の長さは、テザー１２０の全長にわたって、長方形のガーニッシュ孔１８０の短辺１８４の長さより短い。
【先行技術文献】
【特許文献】
【０００４】
【特許文献１】特開２０１５−１４０１１８号公報
【発明の概要】
【発明が解決しようとする課題】
【０００５】
しかし、比較クリップ１１０とそれを用いた比較ピラーガーニッシュ取付構造１０２にには、つぎの課題が生じる。
【０００６】
（ａ）ＣＳＡ（カーテンエアバッグの略、図示せず）展開時に、テザー１２０がガーニッシュ孔１８０縁部から長方形テザー断面の長軸１３４の延び方向に荷重を受けた時に受け流すことができず、その結果大きな荷重を受け、テザー１２０がガーニッシュ孔１８０縁部によりこじられ、極低温時にはテザー１２０が脆性破断するおそれがある。
（ｂ）ＣＳＡ展開時に、ガーニッシュ孔１８０縁部からかかる負荷によりテザークリップ１１０がクリップ中心軸線１１０ａまわりに回転し、アンカー１５０の長手方向とガーニッシュ孔１８０の長手方向が一致して抜ける（外れる）可能性がある。
（ｃ）テザークリップ１１０の回転量によっては、ガーニッシュ孔１８０縁部が１段目のアンカー１５６にかかる場合と２段目のアンカー１５０にかかる場合がある。１段目のアンカー１５６にかかる場合は、テザー１２０長さが車種によっては不足する場合がある。また、１段目のアンカー１５６にかかる場合は、テザー１２０が伸展（「伸展」は「伸張」といってもよい。以下、同じ）する時のエネルギー吸収機能が小さくなって、ピラーガーニッシュ１７０への荷重集中が高くなり、ピラーガーニッシュ１７０に危害を与えるおそれがある。１段目のアンカー１５６が設けられないテザー１２０においても、ガーニッシュ孔１８０縁部がテザー１２０の途中に引っ掛かると、引っ掛かり部が１段目のアンカー１５６と同じように作用して同様の問題が生じる。
【０００７】
本発明の目的は、低温でのＣＳＡ展開時のこじれによるテザーの脆性破断抑制、ＣＳＡ展開途中でのピラーガーニッシュに対するテザーの回転抑制、限られたスペースでのテザ
ー長さ確保、テザーが伸展する時のエネルギー吸収機能確保とそれによるピラーガーニッシュに危害を与えるおそれの低減、の何れか少なくとも１つを達成できるテザーを備えたテザークリップとそれを用いたピラーガーニッシュ取付構造を提供することにある。
【課題を解決するための手段】
【０００８】
上記目的を達成する本発明のテザークリップとそれを用いたピラーガーニッシュ取付構造は、つぎの態様をとることができる。なお、括弧付きの符号は、図面に現れる部材番号に対応する。
【０００９】
本発明の第１の態様では、テザークリップ（１０）は、座部（１２）に接続される根本部（２２）とアンカー（５０）に接続される先端部（２６）と根本部（２２）および先端部（２６）の間にわたって延びる中間部（２４）とを有し長手方向に延びるテザー（２０）を備え、テザー（２０）の長手方向（Ｌ）をピラーガーニッシュ（７０）の長手方向に向けて長方形のガーニッシュ孔（８０）部位にてピラーガーニッシュ（７０）に組付けられ、該ピラーガーニッシュ（７０）をピラー（９０）に取り付けるのに用いられる。
根本部（２２）および中間部（２４）の少なくとも一部は緩やかに湾曲されている。
テザー（２０）の座部（１２）への接続部からテザー（２０）に沿って隔たった任意のテザー位置におけるテザーの接線方向と直交するテザー断面の形状は細長断面であり、かつ、根本部（２２）と中間部（２４）におけるテザー断面の形状は先端部（２６）におけるテザー断面の形状よりも幅広で薄厚の帯状とされている。
根本部（２２）および中間部（２４）におけるテザー断面の長辺（３０）の長さはガーニッシュ孔の短辺（８４）の長さより長くされている。
根本部（２２）および中間部（２４）におけるテザー断面の長軸（３４）の延び方向はガーニッシュ孔（８０）の長軸（８６）と直交する方向から傾けられている。
【００１０】
本発明の第２の態様では、第１の態様において、テザー（２０）の、根本部（２２）および中間部（２４）の根本部（２２）への接続部からアンカー（５０）から最も遠い中間部部位までは、テザー断面の長軸（３４）の延び方向端に、アンカー（５０）から遠い側の第１の稜線（２８ａ）とアンカー（５０）に近い側の第２の稜線（２８ｂ）を有しており、第１の稜線（２８ａ）と第２の稜線（２８ｂ）のアンカー（５０）からの遠近の関係は第１の稜線（２８ａ）と第２の稜線（２８ｂ）の全長にわたって維持され反転しない。テザー（２０）の、中間部（２４）のアンカー（５０）から最も遠い中間部部位から中間部（２４）の先端部（２６）への接続部までは、テザー断面の長軸（３４）の延び方向端に、座部（１２）から遠い側の第３の稜線（２８ｃ）と座部（１２）に近い側の第４の稜線（２８ｄ）を有しており、第３の稜線（２８ｃ）と第４の稜線（２８ｄ）の座部（１２）からの遠近の関係は第３の稜線（２８ｃ）と第４の稜線（２８ｄ）の全長にわたって維持され反転しない。
第１の稜線（２８ａ）と第３の稜線（２８ｃ）は滑らかに接続しており、第２の稜線（２８ｂ）と第４の稜線（２８ｄ）は滑らかに接続している。
【００１１】
本発明の第３の態様では、第２の態様において、中間部（２４）は、座部（１２）から離れる方向に凸状の上方湾曲部と、上方湾曲部よりアンカー（５０）側に設けられた、座部（１２）の延長に向かって凸状の下方湾曲部とを有することによって、第１の稜線（２８ａ）の長さと第３の稜線（２８ｃ）の長さの和が、第２の稜線（２８ｂ）の長さと第４の稜線（２８ｄ）の長さの和に等しいかまたはほぼ等しくなっている。
【００１２】
本発明の第４の態様では、第１−第３の態様の何れか１つにおいて、テザー（２０）の根本部（２２）におけるテザー断面の長軸（３４）の延び方向の、ガーニッシュ孔（８０）の長軸（８６）と直交する方向からの傾き角度が、４０度±２０度の範囲にある。
【００１３】
本発明の第５の態様では、第１−第４の態様の何れか１つにおいて、テザー（２０）の先端部（２６）におけるテザー断面の長辺（３０）の長さは、ガーニッシュ孔（８０）の短辺（８４）の長さより短い。
【００１４】
本発明の第６の態様では、第１−第５の態様の何れか１つにおいて、テザー（２０）の中間部（２４）の、テザー先端部（２６）側の端部に、アンカー（５０）の延び方向に平行な方向と直交する方向に突出する案内板（３８）が設けられている。
【００１５】
本発明の第７の態様のピラーガーニッシュ取付構造（２）は、第１−第６の態様の何れか１つのテザークリップ（１０）と、テザー長手方向（Ｌ）をピラーガーニッシュ長手方向に向けてテザークリップ（１０）が組付けられるピラーガーニッシュ（７０）と、テザークリップ（１０）が組付けられたピラーガーニッシュ（７０）がテザークリップ（１０）を用いて取り付けられるピラー（９０）と、を有する。テザークリップ（１０）がピラーガーニッシュ（７０）に組付けられた状態で、テザー（２０）の根本部（２２）におけるテザーの細長断面の長軸（３４）の延び方向が、長方形のガーニッシュ孔（８０）の長軸（８６）と直交する方向から傾けられている。
【発明の効果】
【００１６】
第１の態様によれば、つぎの（ａ）、（ｂ）、（ｃ）、（ｄ）、（ｅ）の何れか少なくとも１つが達成されるという効果が得られる。
（ａ）テザー長手方向がピラーガーニッシュの長手方向に向けられているので、限られたスペース内でテザー長さを確保できる。
（ｂ）根本部と中間部におけるテザー断面の形状が幅広で薄厚の帯状とされているので、ガーニッシュ孔縁部からの負荷に対するテザーの柔軟性が増し、ガーニッシュ孔縁部からの負荷を受け流すことができる。その結果、ガーニッシュ孔縁部からの荷重によるテザーのこじれが生じにくくなり、低温時のこじれによるテザーの脆性破断を抑制できる。
（ｃ）テザー断面の長辺の長さがガーニッシュ孔の短辺の長さより長くされているので、ガーニッシュ孔内における所定値以上のテザー断面の回転を抑制できる。
（ｄ）テザー断面の長軸の延び方向がガーニッシュ孔の長軸と直交する方向から傾けられているので、テザー断面の長辺の長さがガーニッシュ孔の短辺の長さより長くされていてもテザーはガーニッシュ孔を挿通できる。また、ガーニッシュ孔の長軸直交方向に、テザーに大きな荷重が入った時（ＣＳＡ展開初期など）には、テザー断面の長軸がガーニッシュ孔の長軸と直交する方向からさらに傾く方向に撓むことで、テザーはガーニッシュ孔縁部からの負荷を受け流すことができる。その結果、低温時のこじれによるテザーの脆性破断を抑制でき、かつガーニッシュ孔縁部への衝撃を緩和してピラーガーニッシュに危害を与えるおそれを低減できる。さらにまた、テザー断面の長軸がガーニッシュ孔の長軸と直交する方向からさらに傾く方向に撓むことで、ガーニッシュのボデーから離反性がよくなり、それによってＣＳＡ展開隙間の形成が容易になる。
（ｅ）中間部はテザー長手方向に沿って緩やかに湾曲された湾曲部を有しているので、テザー長を確保できる。また、中間部がしなやかになって、ガーニッシュ孔縁部への衝撃力を緩和でき、ガーニッシュに対して危害を与えるおそれを低減できる。
【００１７】
第２の態様によれば、第１の稜線と第２の稜線のアンカーからの遠近の関係は第１の稜線と第２の稜線の全長にわたって維持され反転せず、第３の稜線と第４の稜線の座部からの遠近の関係は第３の稜線と第４の稜線の全長にわたって維持され反転せず、第１の稜線と第３の稜線は滑らかに接続しており、第２の稜線と第４の稜線は滑らかに接続している。これにより、テザーが伸展する時におけるテザーの不要な回転が少なくなり、アンカーがガーニッシュ孔縁部に当たるまでテザーは滑らかに伸展できる。
【００１８】
第３の態様によれば、第１の稜線の長さと第３の稜線の長さの和が、第２の稜線の長さ
と第４の稜線の長さの和に等しいかまたはほぼ等しいので、テザー伸展時においてテザーの稜線長が短い側の稜線に生じていた応力集中が緩和されテザーの低温時における脆性破断がさらに一層抑制される。
【００１９】
第４の態様によれば、テザー断面の長軸の延び方向がガーニッシュ孔の長軸と直交する方向からの傾き角度が４０度±２０度の範囲にあるので、第１の態様による上記効果のうち（ニ）の効果が確実に得られる。
【００２０】
第５の態様によれば、テザーの先端部におけるテザー断面の長辺の長さがガーニッシュ孔の短辺の長さより短いので、テザーの先端部をガーニッシュ孔に位置させてアンカーとテザーの先端部をガーニッシュ孔に対して９０度回転させることができ、テザークリップのピラーガーニッシュへの組み付けが可能になる。
【００２１】
第６の態様によれば、テザーの中間部のテザー先端部に接続する部分にアンカーの長手方向と直交する方向に突出する案内板が設けられているので、テザーに捩じりがあるにもかかわらず、アンカーがガーニッシュ孔縁部に確実にかかることができる。
【００２２】
第７の態様によれば、第１の態様のテザークリップを用いたので、ピラーガーニッシュ取付構造においても、第１の態様のテザークリップで得られる上記（ａ）、（ｂ）、（ｃ）、（ｄ）、（ｅ）の何れか少なくとも１つの効果が得られる。
【図面の簡単な説明】
【００２３】
【図１】本発明の一実施例に係るテザークリップの斜視図である。
【図２】図１のテザークリップの、図１とは異なる方向から見た斜視図である。
【図３】図１のテザークリップの、テザー長手方向と直角方向に見た正面図である。
【図４】図３のテザークリップの底面図である。
【図５】図４のテザークリップをピラーガーニッシュに組み付けたピラーガーニッシュ取付構造の平面図である。
【図６】図５の６−６線に沿うピラーガーニッシュ取付構造の断面図である。
【図７】図６の７−７線に沿うピラーガーニッシュ取付構造の断面の端面図である。
【図８】図７のピラーガーニッシュ取付構造の断面の斜視図である。
【図９】図６のピラーガーニッシュ取付構造の、図６の９−９線に沿う断面図である。
【図１０】比較テザークリップの斜視図である。
【図１１】図１０の比較テザークリップを従来のピラーガーニッシュに組み付けたピラーガーニッシュ取付構造の、テザークリップの脚の中心軸線を通りテザー長手方向と直交する面で切断して見た断面図である。
【図１２】図１０のピラーガーニッシュ取付構造の、図１１の１２−１２線に沿う断面図である。
【発明を実施するための形態】
【００２４】
本発明の一実施例に係るテザークリップ（以下、単に「クリップ」とも云う）１０とそれを用いたピラーガーニッシュ取付構造２とを、図１−図９を参照して説明する。クリップ１０とピラーガーニッシュ取付構造２とは主要部が同じである。
【００２５】
まず、テザークリップ１０とピラーガーニッシュ取付構造２の構造を説明する。
図１−図４に示すように、テザークリップ１０は、ピラーガーニッシュ７０をピラー９０に取り付けるのに用いられる。テザークリップ１０は、座部１２と座部１２に接続されるテザー２０と、テザー２０に接続されるアンカー５０と、を有する。テザークリップ１０は、さらに、座部１２に接続されテザー２０と同じ側に座部１２から立ち上がる係合保持部４０（図示例では係合保持部４０が一対設けられているが、係合保持部４０は少なくと
も１つあればよい）と、座部１２に接続されテザー２０と反対側に座部１２から離れる方向に延びる脚１４と、脚１４に設けられクリップ中心軸線１０ａに対して弾性的に進退可能とされた係止爪１６（図示例では係止爪１６が一対設けられているが、係止爪１６は少なくとも１つあればよい）と、座部１２に接続されテザー２０と反対側に座部１２から離れる方向に延びるぐらつき抑制弾性片６０と、を有する。
【００２６】
図６において、テザークリップ１０は可撓性を有する樹脂材からなる。樹脂材は、たとえばポリヘキサメチレンアジポアミドである。ただし、可撓性を有し必要な強度をもつ樹脂材であれば、それ以外の樹脂材であってもよい。ピラーガーニッシュ７０はテザークリップ１０かそれより硬質の樹脂材からなる。ピラー９０は鋼板からなる。ピラーガーニッシュ７０とピラー９０との間には、カーテンエアバッグ（図示略、以下、ＣＳＡともいう。ＣＳＡはCurtain Shield Airbag の略である）が配置される。
【００２７】
図５−図９に示すように、テザークリップ１０は、ピラーガーニッシュ７０のテザー収納部７２の底壁７４に設けられた長方形のガーニッシュ孔８０の部位にてピラーガーニッシュ７０に組付けられる。この場合、ガーニッシュ孔８０の長手方向は、ピラーガーニッシュ７０の長手方向に向けられている。テザークリップ１０が組付けられたピラーガーニッシュ７０は、ピラーガーニッシュ７０の長手方向をピラー９０の長手方向に向けて、ピラー９０に設けたクリップ取付孔９２の部位にて、ピラー９０に取り付けられる。
【００２８】
図３、図６から分かるように、テザークリップ１０がピラーガーニッシュ７０に組付けられた状態では、テザー収納部７２の底壁７４におけるガーニッシュ孔８０の縁部が係合保持部４０の膨出部４４と座部１２との間に保持される。テザークリップ１０が組付けられたピラーガーニッシュ７０がピラー９０に取り付けられた状態では、ピラー９０のクリップ取付孔９２の縁部がぐらつき抑制弾性片６０と脚１４に設けた一対の係止爪１６との間に保持される。
【００２９】
車両の側面衝突時やロールオーバ時にはＣＳＡが短時間に膨張展開し、ＣＳＡからの荷重を受けてピラーガーニッシュ７０がピラー９０から離れる方向に移動する。この時、ガーニッシュ孔８０の縁部が係合保持部４０の立ち上がり部４２から膨出部４４側に移動し、膨出部４４を弾性変形させて膨出部４４を通り抜け、ピラーガーニッシュ７０がアンカー５０に当たるまでテザー２０が伸展し、ピラーガーニッシュ７０とピラー９０との間にＣＳＡが膨張展開し得る隙間が形成される。また、テザークリップ１０は、ピラーガーニッシュ７０がアンカー５０に当たった状態以上にピラーガーニッシュ７０がピラー９０から離れる方向に移動することを止め、ピラーガーニッシュ７０の車室方向への飛散を抑制する。
【００３０】
図３−図６に示すように、テザー２０は、座部１２に接続される根本部２２と、アンカー５０に接続される先端部２６と、根本部２２および先端部２６の間にわたって延びる中間部２４と、を有する。テザー２０は、座部２２と直交する一面に沿って延びるテザー長手方向Ｌを有し、テザー２０の全長の少なくとも一部は上記一面に沿って湾曲されている。
【００３１】
テザークリップ１０がピラーガーニッシュ７０に組付けられた状態では、テザー長手方向Ｌはピラーガーニッシュ７０の長手方向、すなわち、ガーニッシュ孔８０の長手方向に向けられている。テザー収納部７２は、長方形の底壁７４の４辺のうちピラーガーニッシュ７０の長手方向に延びる２辺とそれと直交方向に延びる２辺のうちの１辺との３辺で、底壁７４とピラーガーニッシュの意匠壁との間にわって延びる側壁７６を有し、残りの１辺は側壁をもたずテザー収納部開口７８とされている。テザー長手方向Ｌに延びるテザー２０の先端部２６およびアンカー５０はテザー収納部開口７８を挿通してテザー収納部７
２の外側に出ている。これによって、限られたスペースでのテザー長が確保されている。その結果、ＣＳＡ展開時にピラーガーニッシュ７０とピラー９０との間に十分な隙間を形成し得るテザー長が確保されている。
【００３２】
図１２に示す比較クリップ１１０では、テザー長を確保した場合でも、テザー１２０がガーニッシュ孔１８０内で回転可能としテザークリップ１１０をピラーガーニッシュ１７０に組み付け可能とするために、テザー１２０の全長にわたって、テザー１２０の断面の長辺長さＬ１３０をガーニシュ孔１８０の短辺長さＬ１８４より小さくし、一方、強度を得るためにテザー１２０の断面の短辺長さＬ１３２を大きくしていた。その結果、つぎの問題が生じるおそれがあった。ＣＳＡ展開途中でのテザー１２０がガーニシュ孔１８０縁部から受ける荷重を受け流すことができず、テザー１２０が受ける荷重が大となり、テザー１２０にこじれが生じやすくなる。低温でこじれによりテザー１２０が脆性破断する。テザー１２０が伸展する時のエネルギー吸収機能が小さくなる。それによりピラーガーニッシュ１７０のガーニッシュ孔１８０縁部に対する危害性が増加する。これらのおそれを無くすかまたは低減するために、本発明のテザークリップ１０は以下の構造を有する。
【００３３】
座部１２からテザー２０の形状に沿って隔たった任意のテザー部位における、テザー２０の接線方向と直交する面で切断して見たテザー断面の形状は、細長断面である。
また、根本部２２と中間部２４におけるテザー断面の形状は、先端部２６におけるテザー断面の形状よりも幅広で薄厚の帯状とされている。ただし、先端部２６におけるテザー断面の形状は、比較クリップ１１０の（テザー全長における）テザー断面の形状に等しいか、または、ほぼ等しい。
【００３４】
根本部２２と中間部２４におけるテザー断面の長辺３０の長さＬ３０は、比較クリップ１１０のテザー断面の長辺１３０の長さＬ１３０より長く、根本部２２と中間部２４におけるテザー断面の短辺３２の長さＬ３２は、比較クリップ１１０のテザー断面の短辺１３２の長さＬ１３２より短い。その結果、根本部２２と中間部２４におけるテザー断面の形状は、比較クリップ１１０のテザー断面の形状よりも偏平な帯状となっている。
【００３５】
図９に示すように、根本部２２および中間部２４におけるテザー断面の長辺３０の長さＬ３０は、ガーニッシュ孔８０の短辺８４の長さＬ８４より長い。そのため、テザー断面の長軸３４の延び方向をガーニッシュ孔８０の短軸（長軸に直交する軸）３６の延び方向に向けると、テザー２０をガーニッシュ孔８０内に配置できなくなる。
【００３６】
テザー２０をガーニッシュ孔８０内に配置するために、図９に示すように、根本部２２および中間部２４におけるテザー断面の長軸３４の延び方向は、ガーニッシュ孔８０の長軸８６と直交する方向（ガーニッシュ孔８０の短軸８８が延びる方向）から角度Ａだけ傾けられている。したがって、テザー２０は、テザー２０の断面の中心まわりに捩じられている。テザー２０はテザー２０が沿って延びる平面と平行な方向に湾曲されると共に、テザー２０の断面中心まわりに捩じられている。すなわち、テザー２０には曲げと捩じりがある。これに対し、比較クリップ１１０のテザー１２０は、テザー１２０の断面中心まわりに捩じられていない。すなわち、比較クリップ１１０のテザー１２０には曲げのみしかない。
【００３７】
図１−図３に示すように、根本部２２および中間部２４の少なくとも一部はテザー２０に沿って緩やかに湾曲されており、それ以外の部分（根本部２２の座部１２に近い部分および中間部２４の先端部２６に近い部分）で直線状に延びていてもよい。
【００３８】
テザー２０に荷重がかかっていないテザー２０の自由状態において、テザー２０の、根本部２２、および中間部２４の根本部２２への接続部からアンカー５０から最も遠い中間
部部位２４ａまでは、テザー断面の長軸３４の延び方向端に、アンカー５０から遠い側の第１の稜線２８ａとアンカー５０に近い側の第２の稜線２８ｂを有しており、第１の稜線２８ａと第２の稜線２８ｂのアンカー５０からの遠近の関係は第１の稜線２８ａと第２の稜線２８ｂの全長にわたって維持され反転しない。
【００３９】
テザー２０に荷重がかかっていないテザー２０の自由状態において、テザー２０の、中間部２４のアンカー５０から最も遠い中間部部位２４ａから中間部２４の先端部２６への接続部までは、テザー断面の長軸３４の延び方向端に、座部１２から遠い側の第３の稜線２８ｃと座部１２に近い側の第４の稜線２８ｄを有しており、第３の稜線２８ｃと第４の稜線２８ｄの座部１２からの遠近の関係は第３の稜線２８ｃと第４の稜線２８ｄの全長にわたって維持され反転しない。
【００４０】
第１の稜線２８ａと第３の稜線２８ｃは滑らかに（段差無く）接続しており、第２の稜線２８ｂと第４の稜線２８ｄは滑らかに（段差無く）接続している。
【００４１】
第１の稜線２８ａの長さと第３の稜線２８ｃの長さの和は、第２の稜線２８ｂの長さと第４の稜線２８ｄの長さの和に近づけられており、互いに等しいかまたはほぼ等しい。テザー２０には、中間部２４の根本部２２に近い側の部分に上方（座部１２から離れる方向）に向かって凸状に湾曲する上方湾曲部が形成され、ついで中間部２４の先端部２６に近い側の部分に下方（座部１２の延長面に近づく方向）に向かって凸状に湾曲する下方湾曲部が形成されている。上方湾曲部の外周縁部は下方湾曲部の内周縁部に接続され、上方湾曲部の内周縁部は下方湾曲部の外周縁部に接続されている。これによって、第１の稜線２８ａの長さと第３の稜線２８ｃの長さの和が、第２の稜線２８ｂの長さと第４の稜線２８ｄの長さの和に等しいかほぼ等しくなっている。
【００４２】
テザー２０の根本部２２におけるテザー断面の長軸３４の延び方向の、ガーニッシュ孔８０の長軸８６と直交する方向からの傾き角度Ａは、望ましくは、４０度±２０度の範囲にある。４０度±２０度の範囲とする理由は、傾き角度Ａが６０度を越えると、テザー２０が伸展する時にテザー２０の曲がりの内周側に発生する応力が大きくなり過ぎ、傾き角度Ａが２０度より小さいと、図１２の比較クリップ１１０のテザー１２０のこじれの問題が発生しやすくなるからである。
【００４３】
テザー２０の先端部２６におけるテザー断面の長辺３０の長さは、ガーニッシュ孔８０の短辺８４の長さより短い。これによって、テザークリップ１０のピラーガーニッシュ７０への組み付けが可能になる。組み付けにおいては、アンカー５０の長手方向をガーニッシュ孔８０の長軸８６の延び方向に向け、アンカー５０をガーニッシュ孔８０に挿通させ、アンカー５０をテザー収納部７２内に入れると共にテザー２０の先端部２６をガーニッシュ孔８０内に位置させる。この状態ではテザー２０の先端部２６はガーニッシュ孔８０内で先端部２６軸芯まわりに回転可能であるから、アンカー５０を９０度回転させる。ついで、テザー２０をテザー収納部７２内に挿入していき、係合保持部４０にガーニッシュ孔８０の縁部を保持させた状態で組み付けが完了する。この状態では、アンカー５０がテザー収納部開口７８からテザー収納部７２の外側に出ている。
【００４４】
テザー２０の中間部２４の、テザー先端部２６側の端部には、アンカー５０の延び方向（アンカー５０の長手方向）に平行な方向と直交する方向に突出する一対の案内板３８が設けられている。一対の案内板３８が、テザー２０の中間部２４を挟んで（間において）、ほぼ対称に設けられている。
【００４５】
アンカー５０は、テザー長手方向Ｌと直交し座部１２と平行な方向に延びるアンカー本体５２と、アンカー本体５２からテザー先端部２６を間においてテザー先端部２６の両側
空間に延びる一対のアンカー弾性片５４とを有する。アンカー本体５２はアンカー長手方向に延び、アンカー弾性片５４はアンカー長手方向と直交方向に延びる。アンカー弾性片５４はテザー２０の案内板３８と同じ平面に沿って延びる。アンカー弾性片５４と案内板３８とは、互いに離れているが、互いに対向している。
【００４６】
テザー２０の断面が根本部２２と中間部２４で偏平帯状とされているため、テザー断面の長軸３４の延び方向の稜線がガーニッシュ孔８０の長辺８２の縁部に当たるまでは、テザー２０はテザー断面の中心まわりに弾性的に曲げ変形と捩じり変形をしやすい。しかし、案内板３８が設けられているテザー部分では曲げ剛性と捩じり剛性が高いので、曲げ変形と捩じり変形が抑制される。また、アンカー弾性片５４と案内板３８とが互いに対向しているため、ＣＳＡ展開時にガーニッシュ孔８０の縁部がテザー２０に摺動しながら座部１２から離れる方向に移動していく時に、ガーニッシュ孔８０の縁部は案内板３８からアンカー弾性片５４へとひっかからずに移行できる。これによって、アンカー弾性片５４は確実にガーニッシュ孔８０内に突入してアンカー５０がガーニッシュ孔８０の縁部に係合でき、アンカー弾性片５４によりアンカー５０のガーニッシュ孔８０に対する回転が阻止され、アンカー５０の長手方向とガーニッシュ孔８０の長軸８６の延び方向が一致した時に起こるガーニッシュ孔８０の縁部のアンカー５０通り抜けとピラーガーニッシュ７０の飛散が抑制される。
【００４７】
ぐらつき抑制弾性片６０は、テザークリップ１０の脚１４をピラー９０のクリップ取付孔９２に挿入してテザークリップ１０がピラー９０に取り付けられた時に、ピラー９０のクリップ取付孔９２の縁部を脚１４の係止爪１６とぐらつき抑制弾性片６０とで弾性的に挟み込んで、テザークリップ１０のピラー９０に対するぐらつきを抑制するものである。ぐらつき抑制弾性片６０によってテザークリップ１０のぐらつきを抑制したい方向は、とくにテザー長手方向Ｌと直交する面に沿う方向の回転である。
【００４８】
ぐらつき抑制弾性片６０は、座部１２の、クリップ１０が取り付けられる相手パネル（ピラー）９０に対向する座面（図２の座部１２の下側座面）の、クリップ中心軸線１０ａから離れた部位で、座部１２に一体に接続されている。ぐらつき抑制弾性片６０は、ぐらつき抑制弾性片６０の自由状態（ぐらつき抑制弾性片６０に荷重がかかっていない状態）で、座部１２の下側座面にほぼ垂直にピラー９０に向かって直線状に延びる直線状部６２を有している。なお、直線状部６２は、ぐらつき抑制弾性片６０のピラー９０への接地点が直線状の場合と変わらなければ直線状を湾曲状とした湾曲状部てあってもよい。図示例および以下の説明では直線状部の場合で説明する。
【００４９】
ぐらつき抑制弾性片６０は、座部１２の下側座面に接続される側の端部と反対側（先端側）のぐらつき抑制弾性片６０の端部に、テザークリップ１０をテザー長手方向Ｌと直交方向に見た時に、直線状部６２から湾曲されついでぐらつき抑制弾性片６０の自由状態で座部１２と平行に延びる曲がり部６４を有していてもよい。ただし、ぐらつき抑制弾性片６０は曲がり部６４を有さなくてもよい。図示例は、ぐらつき抑制弾性片６０が曲がり部６４を有する場合を示している。
【００５０】
座部１２の下側座面は、クリップ中心軸線１０ａと直交する面に沿う方向に長方形状に形成されている。座部１２の下側座面の長方形の一辺はテザー長手方向Ｌに向けられている。ぐらつき抑制弾性片６０は、座部１２の下側座面の長方形状の四隅に設けられている。
【００５１】
ぐらつき抑制弾性片６０の直線状部６２は、ぐらつき抑制弾性片６０の自由状態で、テザークリップ１０をテザー長手方向Ｌに見た時に、座部１２の下側座面に完全に垂直に延びる。また、ぐらつき抑制弾性片６０の直線状部６２は、ぐらつき抑制弾性片６０の自由
状態で、テザークリップ１０をテザー長手方向Ｌと直交方向に見た時に、座部１２の下側座面に完全に垂直な方向からクリップ中央側に０度−１５度（０度より大で１５度以下）の範囲にある所定角度で傾けられていてもよい。ただし、直線状部６２は、ぐらつき抑制弾性片６０の自由状態で、テザークリップ１０をテザー長手方向Ｌに見た時に、座部１２の下側座面に完全に垂直な方向に延びていてもよいし、あるいは、座部１２の下側座面に完全に垂直な方向よりも外側に傾けられていてもよい。
【００５２】
脚１４は、座部１２のテザー２０が接続される座面と反対側の座面に接続され、テザー２０と反対側に座部１２から離れる方向に延びる。一対の係止爪１６は、係止爪１６の一端にある結合部で脚１４に結合され、結合部を除いて逆Ｕ字状のスリットで脚１４から切り離されている。これによって、係止爪１６は結合部まわりにクリップ中心軸線１０ａに接近、離反する方向に揺動可能である。係止爪１６の先端部には、クリップ中心軸線１０ａに対して直交方向に、かつ、クリップ中心軸線１０ａから離れる方向に延びる爪操作部１８が設けられている。
【００５３】
テザークリップ１０が組付けられたピラーガーニッシュ７０をピラー９０に組み付ける時には、テザークリップ１０の脚１４をピラー９０側に向け、脚１４をクリップ取付孔９２に押し込む。この時、一対の係止爪１６がクリップ取付孔９２の縁部によってクリップ中心軸線１０ａ側に押され、係止爪１６がクリップ取付孔９２を挿通し、挿通直後に一対の係止爪１６が元の位置に弾性復帰して、係止爪１６とぐらつき抑制弾性片６０との間にクリップ取付孔９２の縁部を挟む。
【００５４】
一対の係合保持部４０の中心は、脚５０の中心軸線からテザー長手方向Ｌにかつ座部１２と平行な方向に、アンカー５０から遠ざかる側にオフセットされている。
【００５５】
脚１４はピラー９０のクリップ取付孔９２に押し込まれるので、一対の係合保持部４０の中心は、クリップ取付孔９２の中心軸線に対し、テザー長手方向Ｌに、かつ、テザー２０の湾曲と反対側に（すなわちテザー収納部開口７８から遠ざかる方向に）オフセットされている。
【００５６】
テザー収納部７２の底壁７４は、一対の係合保持部４０が挿通されるガーニッシュ孔８０と、ガーニッシュ孔８０のテザー湾曲方向端（テザー長手方向Ｌでかつテザー収納部開口７８側端）に位置しテザー長手方向Ｌに延びる対向縁部（ガーニッシュ孔８０の長辺縁部）間にさし渡されたブリッジ部７４ａを有する。ブリッジ部７４ａは底壁７４の一部を構成する。一対の係合保持部４０の中心は、クリップ取付孔９２の中心軸線に対し、テザー長手方向Ｌに、かつ、テザー２０の湾曲と反対側にオフセットされているので、オフセットされない場合よりも、ブリッジ部７４ａの幅（テザー長手方向Ｌに沿う面で切断した時のブリッジ部７４ａの両側面間距離）Ｗが大きくなる（図６）。そのため、ブリッジ部７４ａの断面積が大きくなって、強度上有利である他、成形時のブリッジ部７４ａでの湯流れがよくなってウエルド（欠陥）の形成が抑制される。これによって、ＣＳＡ展開時におけるブリッジ部７４ａでの破断が確実に抑制される。
【００５７】
ブリッジ部７４ａにおける応力に余裕があり、かつ、ウエルドの形成をより一層抑制することが望まれる場合には、図６に示すように、ブリッジ部７４ａに凹部７４ｂを形成し、ウエルドが発生しやすい部位を除去してもよい。
【００５８】
ピラーガーニッシュ取付構造２は、上記のテザークリップ１０と、テザー長手方向Ｌをピラーガーニッシュ長手方向に向けてテザークリップ１０が組付けられるピラーガーニッシュ７０と、テザークリップ１０が組付けられたピラーガーニッシュ７０がテザークリップ１０を用いて取り付けられるピラー９０と、を有する。
【００５９】
テザークリップ１０は、ピラーガーニッシュ７０のテザー収納部７２の底壁７４に、ガーニッシュ孔８０の部位にて、組付けられる。組み付け後には、テザー２０がガーニッシュ孔８０を挿通しており、アンカー５０はテザー収納部開口７８からテザー収納部７２の外側に出ている。
【００６０】
テザークリップ１０がピラーガーニッシュ７０に組付けられた状態で、テザー２０の根本部２２および中間部２４におけるテザーの細長断面の長軸３４の延び方向は、長方形のガーニッシュ孔８０の長軸８６と直交する方向から傾けられている。また、テザー２０はテザー長手方向Ｌに延びる面に沿って湾曲している。
【００６１】
したがって、テザー２０はテザー長手方向Ｌに延びる面に沿って湾曲していると共に、テザー２０の根本部２２および中間部２４における位置におけるテザー断面は、該テザー断面の中心まわりに捩じられている。
【００６２】
つぎに、テザークリップ１０とピラーガーニッシュ取付構造２の作用、効果を説明する。
まず、テザークリップ１０については、テザー長手方向Ｌがピラーガーニッシュ７０の長手方向に向けられているので、ピラーガーニッシュ７０とピラー９０との間の限られたスペース内で、テザー長さを確保できる。これによって、ＣＳＡ展開時に、ピラーガーニッシュ７０とピラー９０との間に十分なＣＳＡ展開用の隙間を作成することができる。
【００６３】
また、根本部２２と中間部２４におけるテザー断面の形状が幅広で薄厚の帯状とされているので、ガーニッシュ孔８０の縁部からの負荷に対するテザー２０の柔軟性が増し、ガーニッシュ孔８０の縁部からの負荷を受け流すことができる。その結果、ガーニッシュ孔縁部からの荷重によるテザー２０のこじれ（食い込み、引っ掛かり）が生じにくくなり、極低温時における、こじれによるテザー２０の脆性破断を抑制できる。
【００６４】
また、テザー２０の根本部２２と中間部２４において、テザー断面の長辺３０の長さがガーニッシュ孔の短辺の長さより長くされているので、ガーニッシュ孔８０内における所定値以上のテザー断面の回転を抑制できる。その結果、案内板３８の数を低減できる。
【００６５】
また、根本部２２と中間部２４において、テザー断面の長軸３４の延び方向がガーニッシュ孔８０の長軸８６と直交する方向（ガーニッシュ孔８０の短軸８８の延び方向）から傾けられているので、テザー断面の長辺３０の長さがガーニッシュ孔８０の短辺８４の長さより長くされていても、テザー２０はガーニッシュ孔８０を挿通できる。また、ガーニッシュ孔８０の長軸８６と直交方向に、テザーに大きな荷重が入った時（ＣＳＡ展開初期など）には、テザー断面の長軸３４がガーニッシュ孔８０の長軸８６と直交する方向からさらに傾く方向に撓むことで、テザー２０はガーニッシュ孔縁部からの負荷を受け流すことができる。その結果、低温時のこじれによるテザー２０の脆性破断を一層抑制でき、かつ、ガーニッシュ孔縁部への衝撃を緩和してピラーガーニッシュ７０への危害性を少なくできる。さらにまた、テザー断面の長軸３４がガーニッシュ孔８０の長軸８６と直交する方向からさらに傾く方向に撓むことで、ピラーガーニッシュ７０のピラー９０から離反性がよくなり、それによってＣＳＡ展開隙間の形成が容易になる。
【００６６】
中間部２４はテザー長手方向Ｌに沿って緩やかに湾曲されているので、テザー長を確保できる。また、中間部２４がしなやかになって、ガーニッシュ孔８０の縁部への衝撃力を緩和でき、ピラーガーニッシュ７０に対する危害性も少なくなる。
【００６７】
第１の稜線２８ａと第２の稜線２８ｂのアンカー５０からの遠近の関係は第１の稜線２
８ａと第２の稜線２８ｂの全長にわたって維持され反転しない。また、第３の稜線２８ｃと第４の稜線２８ｄの座部１２からの遠近の関係は第３の稜線２８ｃと第４の稜線２８ｄの全長にわたって維持され反転しない。第１の稜線２８ａと第３の稜線２８ｃは滑らかに（段差無く）接続しており、第２の稜線２８ｂと第４の稜線２８ｄは滑らかに（段差無く）接続している。これにより、テザー２０が伸展する時におけるテザー２０の不要な回転が少なくなり、ＣＳＡ展開時に、アンカー５０がガーニッシュ孔８０の縁部に当たるまでテザー２０は滑らかに伸展できる。
【００６８】
また、第１の稜線２８ａの長さと第３の稜線２８ｃの長さの和が、第２の稜線２８ｂの長さと第４の稜線２８ｄの長さの和に近づけられて、ほぼ同一とされているので、比較クリップ１１０においてテザー伸展時においてテザー１２０の稜線長が短い側の稜線に生じていた応力集中が緩和され、テザー１２０の低温時における脆性破断がさらに一層抑制される。
【００６９】
また、テザー断面の長軸３４の延び方向がガーニッシュ孔の長軸８６と直交する方向から傾けられてことによる上記効果は、テザー断面の長軸３４の延び方向がガーニッシュ孔の長軸８６と直交する方向からの傾き角度Ａが４０度±２０度の範囲にある場合に、とくに確実に得られる。その理由は、角度Ａが２０度未満の場合は、テザー２０が比較クリップ１１０のテザー１２０に近づいて、テザー２０のこじれおよび低温時の脆性破断のおそれが生じやすくなり、角度Ａが６０度を越えると、ＣＳＡ展開時においてテザー２０の湾曲の内周側部分に生じる応力が大きくなり過ぎるおそれが生じるからである。
【００７０】
テザー２０の先端部２６におけるテザー断面の長辺の長さがガーニッシュ孔８０の短辺８４の長さより短いので、テザー２０の先端部２６をガーニッシュ孔８０に位置させてアンカー５０とテザー２０の先端部２６をガーニッシュ孔８０に対して９０度回転させ、アンカー５０の長手方向をガーニッシュ孔８０の長手方向に直角にした後、さらにテザー２０をガーニッシュ孔８０に挿入することにより、テザークリップ１０のピラーガーニッシュ７０への組み付けが可能になる。
【００７１】
また、テザー２０の中間部２４のテザー先端部２６に接続する部分にアンカー５０の長手方向と直交する方向に突出する案内板３８が設けられている。そのため、テザー２０に曲がりと捩じりがあるにもかかわらず、ＣＳＡ展開時にガーニッシュ孔８０の縁部が引っ掛からずに案内板３８からアンカー弾性片５４に移動でき、アンカー本体５２がガーニッシュ孔８０の縁部に確実にかかることができる。
【００７２】
つぎに、ピラーガーニッシュ取付構造２については、ピラーガーニッシュ取付構造２が、テザークリップ１０を用いているので、ピラーガーニッシュ取付構造２においてもテザークリップ１０の作用、効果と同じ作用、効果が得られる。
【００７３】
これに加えて、テザー２０を断面中心まわりに捩じり、かつ、テザー２０の断面の長辺３０の長さをガーニッシュ孔８０の短辺８４の長さより大きくするだけで、ＣＳＡ展開時時に根本部２２および中間部２４でのテザー断面中心まわりのテザー２０の回転を止めることができる。そのため、中間部２４での回転を止めるために中間部２４の根本部２２に近い部分に案内板３８を設けたり、テザー断面のサイズを大きくする必要がなく、まわり止め構造を単純化できる。また、まわり止め構造からの制限を受けずに根本部２２および中間部２４の長さを長くでき、その結果、テザー長を長くでき、ＣＳＡ展開時におけるＣＳＡ隙間の形成に有利となる。
【符号の説明】
【００７４】
２    ピラーガーニッシュ取付構造
１０  クリップ（テザークリップ）
１２  座部
２０  テザー
２２  根本部
２４  中間部
２４ａ  アンカー５０から最も遠い中間部部位
２６  先端部
２８ａ  第１の稜線
２８ｂ  第２の稜線
２８ｃ  第３の稜線
２８ｄ  第４の稜線
３０  テザー断面の長辺
３４  テザー断面の長軸
３８  案内板
５０  アンカー
７０  ピラーガーニッシュ
８０  ガーニッシュ孔
８４  ガーニッシュ孔の短辺
８６  ガーニッシュ孔の長軸
９０  ピラー（ボデー）
Ｌ  テザー長手方向
【図１】
0006459933.tif 000002
【図２】
0006459933.tif 000003
【図３】
0006459933.tif 000004
【図４】
0006459933.tif 000005
【図５】
0006459933.tif 000006
【図６】
0006459933.tif 000007
【図７】
0006459933.tif 000008
【図８】
0006459933.tif 000009
【図９】
0006459933.tif 000010
【図１０】
0006459933.tif 000011
【図１１】
0006459933.tif 000012
【図１２】
0006459933.tif 000013